(57)【要約】【課題】コンテンツの過剰な流出を好適に抑制することが可能なコンテンツ配信装置及びプログラムを提供する。【解決手段】サーバ装置１は、商品の購入があった場合、当該商品に対応するデジタルコンテンツＤＣをダウンロードするためのＤＬ用コードＣｄを生成し、当該コードに対する利用上限回数を設定する。そして、サーバ装置１は、ＤＬ用コードＣｄを指定したデジタルコンテンツの送信要求を受信した場合、指定されたＤＬ用コードＣｄに対して設定された利用上限回数が、当該ＤＬ用コードＣｄの利用済回数よりも多いときに、対象のデジタルコンテンツＤＣを要求元に送信する。【選択図】図６
2016024468.tif 000002
【特許請求の範囲】
【請求項１】
商品の購入があった場合、当該商品に対応するデジタルコンテンツをダウンロードするためのコードを生成するコード生成手段と、
前記コードに対する利用上限回数を設定する利用上限回数設定手段と、
前記商品の購入者に前記コードを通知するコード通知手段と、
前記コードを指定したデジタルコンテンツの送信要求を受信するコード受信手段と、
前記コード受信手段が受信したコードに対して設定された利用上限回数が、当該コードが既に利用された回数よりも多い場合、前記コードが生成されたときに購入された商品に対応するデジタルコンテンツを、前記送信要求の要求元に送信するコンテンツ送信手段と、
を有することを特徴とするコンテンツ配信装置。
【請求項２】
前記利用上限回数設定手段は、同一の商品に対して生成されたコードに対して設定する前記利用上限回数を、前記商品の購入時期に応じて異なる回数に設定することを特徴とする請求項１に記載のコンテンツ配信装置。
【請求項３】
前記利用上限回数設定手段は、前記商品の発売から経過した期間の長さに基づき、前記利用上限回数を設定することを特徴とする請求項２に記載のコンテンツ配信装置。
【請求項４】
前記利用上限回数設定手段は、前記商品の販売数に基づき、前記利用上限回数を設定することを特徴とする請求項２または３に記載のコンテンツ配信装置。
【請求項５】
前記利用上限回数設定手段は、商品が発売された場合に、当該商品に関連する商品の購入に基づき生成されるコードに対して設定する前記利用上限回数を上げることを特徴とする請求項２〜４のいずれか一項に記載のコンテンツ配信装置。
【請求項６】
前記コンテンツ送信手段は、前記商品に対応するデジタルコンテンツとして、当該商品の内容の一部を表したデジタルコンテンツを送信することを特徴とする請求項１〜５のいずれか一項に記載のコンテンツ配信装置。
【請求項７】
前記コンテンツ送信手段は、前記商品に対応するデジタルコンテンツとして、当該商品の内容に加えて付加的な情報が含まれたデジタルコンテンツを送信することを特徴とする請求項１〜５のいずれか一項に記載のコンテンツ配信装置。
【請求項８】
前記コード通知手段は、前記商品の購入者が購入時に使用した端末の表示部に前記コードを表示させる、又は、前記商品の購入の際に発行されるレシートに前記コードを印字させることを特徴とする請求項１〜７のいずれか一項に記載のコンテンツ配信装置。
【請求項９】
請求項１〜８のいずれか一項に記載のコンテンツ配信装置としてコンピュータを機能させることを特徴とするプログラム。
【発明の詳細な説明】
【技術分野】
【０００１】
本発明は、デジタルコンテンツの配信に関する。
【背景技術】
【０００２】
従来から、電子書籍などのデジタルコンテンツを配信するシステムが知られている。例えば、特許文献１には、印刷物である書籍を購入したユーザに対し、ユーザの端末上で電子化された上記書籍の任意の頁を無料で閲覧可能とするシステムが開示されている。
【先行技術文献】
【特許文献】
【０００３】
【特許文献１】特許第５３２３８８０号
【発明の概要】
【発明が解決しようとする課題】
【０００４】
購入した商品の電子版であるデジタルコンテンツを無料で提供するシステムの一形態として、購入者が当該デジタルコンテンツをダウンロードする権利を第三者へ譲渡できるように、デジタルコンテンツをダウンロードするためのコードを発行するシステムが考えられる。このシステムでは、デジタルコンテンツの配信により商品の宣伝効果が期待される一方、配信対象のデジタルコンテンツが過剰に流出してしまうおそれがある。そこで、本発明は、コンテンツの過剰な流出を好適に抑制することが可能なコンテンツ配信装置及びプログラムを提供することを主な課題とする。
【課題を解決するための手段】
【０００５】
本発明の１つの観点では、コンテンツ配信装置は、商品の購入があった場合、当該商品に対応するデジタルコンテンツをダウンロードするためのコードを生成するコード生成手段と、前記コードに対する利用上限回数を設定する利用上限回数設定手段と、前記商品の購入者に前記コードを通知するコード通知手段と、前記コードを指定したデジタルコンテンツの送信要求を受信するコード受信手段と、前記コード受信手段が受信したコードに対して設定された利用上限回数が、当該コードが既に利用された回数よりも多い場合、前記コードが生成されたときに購入された商品に対応するデジタルコンテンツを、前記送信要求の要求元に送信するコンテンツ送信手段と、を有する。
【０００６】
上記コンテンツ配信装置は、コード生成手段と、利用上限回数設定手段と、コード通知手段と、コード受信手段と、コンテンツ送信手段とを有する。コード生成手段は、商品の購入があった場合、当該商品に対応するデジタルコンテンツをダウンロードするためのコードを生成する。利用上限回数設定手段は、コードに対する利用上限回数を設定する。コード通知手段は、生成されたコードを購入者に通知する。コード受信手段は、コードを指定したデジタルコンテンツの送信要求を受信する。ここで、送信要求の要求元は、商品の購入者が利用する端末であってもよく、通知されたコードを購入者が他者に伝えた場合には当該他者が利用する端末であってもよい。コンテンツ送信手段は、コード受信手段が受信したコードに対して設定された利用上限回数が、当該コードが既に利用された回数よりも多い場合、コードが生成されたときに購入された商品に対応するデジタルコンテンツを、送信要求の要求元に送信する。
【０００７】
このように、コンテンツ配信装置は、購入された商品に対応するデジタルコンテンツをダウンロードするためのコードに利用上限回数を設定することで、発行されたコードに基づきデジタルコンテンツをダウンロード可能な回数を制限する。これにより、コンテンツ配信装置は、デジタルコンテンツの過剰な流出を好適に抑制することができる。
【０００８】
上記コンテンツ配信装置の一態様では、前記利用上限回数設定手段は、同一の商品に対して生成されたコードに対して設定する前記利用上限回数を、前記商品の購入時期に応じて異なる回数に設定する。このように、コンテンツ配信装置は、利用上限回数を商品の購入時期に応じて柔軟に変更することで、例えば、商品の販売促進時期に利用上限回数を増やして商品の存在を積極的に宣伝すること等が可能となる。
【０００９】
上記コンテンツ配信装置の他の一態様では、前記利用上限回数設定手段は、前記商品の発売から経過した期間の長さに基づき、前記利用上限回数を設定する。この態様により、コンテンツ配信装置は、利用上限回数を好適に設定することができる。
【００１０】
上記コンテンツ配信装置の他の一態様では、前記利用上限回数設定手段は、前記商品の販売数に基づき、前記利用上限回数を設定する。ここで、「商品の販売数」は、商品の累計販売数であってもよく、月間又は週間での商品の販売数であってもよい。この態様によっても、コンテンツ配信装置は、利用上限回数を好適に設定することができる。
【００１１】
上記コンテンツ配信装置の他の一態様では、前記利用上限回数設定手段は、商品が発売された場合に、当該商品に関連する商品の購入に基づき生成されるコードに対して設定する前記利用上限回数を上げる。このように、コンテンツ配信装置は、新発売の商品に関連する商品の購入時に付与されるコードの利用上限回数を上げることで、新発売の商品に関連する商品に対応するデジタルコンテンツを積極的に普及させる。これにより、コンテンツ配信装置は、新発売の商品の販売を好適に促進することができる。
【００１２】
上記コンテンツ配信装置の他の一態様では、前記コンテンツ送信手段は、前記商品に対応するデジタルコンテンツとして、当該商品の内容の一部を表したデジタルコンテンツを送信する。この態様では、商品である書籍の一部に相当するデジタルコンテンツを視聴したユーザには、視聴できなかった部分を見たいという商品購入の動機が生じる。従って、コンテンツ配信装置は、この態様により、商品の販売機会を逸することなく、商品の購入を好適に促進することができる。
【００１３】
上記コンテンツ配信装置の他の一態様では、前記コンテンツ送信手段は、前記商品に対応するデジタルコンテンツとして、当該商品の内容に加えて付加的な情報が含まれたデジタルコンテンツを送信する。このように、コンテンツ配信装置は、商品よりも内容が充実したデジタルコンテンツを配信することで、商品の購入者にデジタルコンテンツを積極的にダウンロードさせることができる。
【００１４】
上記コンテンツ配信装置の他の一態様では、前記コード通知手段は、前記商品の購入者が購入時に使用した端末の表示部に前記コードを表示させる、又は、前記商品の購入の際に発行されるレシートに前記コードを印字させる。この態様により、コンテンツ配信装置は、生成したコードを好適に商品の購入者に通知することができる。
【００１５】
本発明のさらに別の観点では、プログラムは、上記いずれか記載のコンテンツ配信装置としてコンピュータを機能させる。このプログラムをコンピュータにインストールして機能させることで、本発明に係るコンテンツ配信装置を構成させることができる。
【発明の効果】
【００１６】
本発明に係るコンテンツ配信装置によれば、購入された商品に対応するデジタルコンテンツをダウンロードするためのコードに利用回数制限が設けられるため、デジタルコンテンツの過剰な流出を好適に抑制することができる。
【図面の簡単な説明】
【００１７】
【図１】実施形態に係る取引システムの構成を示す。
【図２】サーバ装置のブロック図を示す。
【図３】ユーザ端末のブロック図を示す。
【図４】商品情報ＤＢ及びコード情報ＤＢのデータ構造を示す。
【図５】コード発行処理の手順を示すフローチャートである。
【図６】コンテンツ配信処理の手順を示すフローチャートである。
【図７】商品購入画面の表示例を示す。
【図８】コード表示画面の表示例を示す。
【図９】コード入力画面の表示例を示す。
【図１０】ダウンロード画面の表示例を示す。
【図１１】変形例に係る取引システムの構成例である。
【発明を実施するための形態】
【００１８】
以下、図面を参照しながら、本発明を実施するのに好適な実施形態について説明する。
【００１９】
［取引システムの構成］
図１は、本実施形態に係る取引システム１００の構成を示す。取引システム１００は、購入された紙の書籍の電子版に相当するデジタルコンテンツ（「デジタルコンテンツＤＣ」とも呼ぶ。）を配信するサーバ装置１と、書籍の購入者が使用する第１ユーザ端末３Ａと、デジタルコンテンツＤＣの閲覧者が使用する第２ユーザ端末３Ｂとを有する。以後では、第１ユーザ端末３Ａと第２ユーザ端末３Ｂを特に区別しない場合、単に「ユーザ端末３」とも呼ぶ。サーバ装置１とユーザ端末３とは、インターネットなどの通信網２を介してデータ通信を行う。
【００２０】
サーバ装置１は、電子商取引に基づく書籍の販売を行うためのＷＥＢサーバとして機能すると共に、購入手続完了時にデジタルコンテンツＤＣをダウンロードするためのコード（「ＤＬ用コードＣｄ」とも呼ぶ。）を生成し、第１ユーザ端末３Ａの利用者に通知する。後述するように、ＤＬ用コードＣｄには、利用回数の制限が設けられる。また、サーバ装置１は、第２ユーザ端末３ＢからＤＬ用コードＣｄを指定したデジタルコンテンツＤＣの送信要求があった場合に、当該ＤＬ用コードＣｄに対応するデジタルコンテンツＤＣを第２ユーザ端末３Ｂに送信する。サーバ装置１は、本発明における「コンテンツ配信装置」の一例である。
【００２１】
ユーザ端末３は、例えばスマートフォンなどの通信端末であり、図１の例では、タッチパネルが積層されたディスプレイを有する。第１ユーザ端末３Ａは、書籍の購入者が書籍の購入手続きを行う際に利用する端末である。また、第２ユーザ端末３Ｂは、第１ユーザ端末３Ａの利用者からＤＬ用コードＣｄを通知された者がデジタルコンテンツＤＣのダウンロードや閲覧を行うのに使用する端末である。なお、図１の例に代えて、ユーザ端末３は、デスクトップパソコンやノートパソコン等の通信可能な種々の端末であってもよい。また、第１ユーザ端末３Ａは、第２ユーザ端末３Ｂと同様に、ＤＬ用コードＣｄに基づくデジタルコンテンツＤＣのダウンロード及び表示を行ってもよい。
【００２２】
［サーバ装置の構成］
図２は、サーバ装置１のブロック図である。サーバ装置１は、記憶部１３と、データ通信を行う通信部１４と、制御部１５とを備える。これらの各要素は、バスライン１０を介して相互に接続されている。
【００２３】
記憶部１３は、ハードディスク又はフラッシュメモリといったメモリによって構成される。記憶部１３は、制御部１５が実行するプログラムを記憶する。また、記憶部１３は、各商品の商品情報を商品ＩＤごとに関連付けたデータベースである商品情報ＤＢ１３１を記憶する。また、記憶部１３は、生成されたＤＬ用コードＣｄごとに、当該ＤＬ用コードＣｄが利用された回数（利用済回数）やＤＬ用コードＣｄを利用可能な上限回数（利用上限回数）などを関連付けたコード情報ＤＢ１３２を記憶する。また、記憶部１３は、配信対象となるデジタルコンテンツＤＣが格納されたコンテンツＤＢ１３３を記憶する。商品情報ＤＢ１３１及びコード情報ＤＢ１３２のデータ構造については［データ構造］のセクションで説明する。
【００２４】
制御部１５は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、サーバ装置１内の各構成要素に対して種々の制御を行う。
【００２５】
例えば、制御部１５は、第１ユーザ端末３Ａが指定した書籍の売買成立時にＤＬ用コードＣｄを生成し、当該ＤＬ用コードＣｄを第１ユーザ端末３Ａに通知すると共にコード情報ＤＢ１３２に登録する。また、制御部１５は、第２ユーザ端末３ＢからＤＬ用コードＣｄを指定したデジタルコンテンツＤＣのダウンロード要求を受信した場合であって、ＤＬ用コードＣｄの利用済回数が利用上限回数未満である場合に、対応するデジタルコンテンツＤＣを第２ユーザ端末３Ｂへ送信する。そして、制御部１５は、本発明における「コード生成手段」、「利用上限回数設定手段」、「コード通知手段」、「コード受信手段」、「コンテンツ送信手段」及びコンピュータが実行するプログラムとして機能する。
【００２６】
［ユーザ端末の構成］
図３は、ユーザ端末３のブロック図である。ユーザ端末３は、ディスプレイなどの表示部３１と、タッチパネルなどの入力部３２と、記憶部３３と、データ通信を行う通信部３４と、制御部３５とを備える。これらの各要素は、バスライン３０を介して相互に接続されている。
【００２７】
記憶部３３は、ハードディスク又はフラッシュメモリといったメモリによって構成される。また、記憶部３３は、制御部３５が実行するプログラムを記憶する。
【００２８】
制御部３５は、図示しないＣＰＵ、ＲＯＭ及びＲＡＭなどを備え、ユーザ端末３内の各構成要素に対して種々の制御を行う。制御部３５は、記憶部３３に記憶されたプログラムを実行することで、所定の処理を行う。例えば、第１ユーザ端末３Ａの制御部３５は、サーバ装置１から送信される表示情報に基づき、書籍を購入する画面、及び、購入後にサーバ装置１が発行したＤＬ用コードＣｄを表示する画面（「コード表示画面」とも呼ぶ。）などを第１ユーザ端末３Ａの表示部３１に表示させる。一方、第２ユーザ端末３Ｂの制御部３５は、サーバ装置１から送信される表示情報に基づき、デジタルコンテンツＤＣをダウンロードするためのＤＬ用コードＣｄの入力画面（「コード入力画面」とも呼ぶ。）などを第２ユーザ端末３Ｂの表示部３１に表示させる。
【００２９】
［データ構造］
次に、サーバ装置１が記憶する商品情報ＤＢ１３１及びコード情報ＤＢ１３２のデータ構造の具体例について説明する。
【００３０】
図４（Ａ）は、商品情報ＤＢ１３１のデータ構造の一例である。図４（Ａ）に示す商品情報ＤＢ１３１では、商品の識別情報である商品ＩＤごとに、商品である書籍のタイトル、著者、価格、対応するデジタルコンテンツＤＣを示す電子版商品ＩＤ、及びＤＬ用コードＣｄの利用上限回数が関連付けられている。
【００３１】
このように、商品情報ＤＢ１３１では、紙の書籍を示す商品ＩＤに対し、対応するデジタルコンテンツＤＣ及びＤＬ用コードＣｄの利用上限回数が関連付けられている。例えば、図４（Ａ）の１番目のレコードに相当する商品ＩＤ「Ｂ１０００１」の書籍「○○事件  上巻」が購入対象の場合、サーバ装置１は、対応する電子版商品ＩＤである商品ＩＤ「Ｅ１０００１」の電子書籍をダウンロードするためのＤＬ用コードＣｄを発行し、当該ＤＬ用コードＣｄの利用上限回数を「３回」に設定する。また、商品ＩＤ「Ｂ１００１３」の書籍「△△への招待」が購入対象の場合、サーバ装置１は、対応する電子版商品ＩＤである商品ＩＤ「Ｅ１００１３」の電子書籍をダウンロードするためのＤＬ用コードＣｄを発行し、当該ＤＬ用コードＣｄの利用上限回数を「５回」に設定する。
【００３２】
図４（Ｂ）は、コード情報ＤＢ１３２のデータ構造の一例である。図４（Ｂ）に示すコード情報ＤＢ１３２では、コード入力画面で入力対象となる文字例であるＤＬ用コードＣｄと、ダウンロード対象となるデジタルコンテンツＤＣの商品ＩＤである対象商品ＩＤと、利用上限回数と、利用済回数とが関連付けられている。
【００３３】
ここで、サーバ装置１は、コード情報ＤＢ１３２の各レコードを、商品情報ＤＢ１３１において電子版商品ＩＤが関連付けられている書籍が購入されたときに生成する。例えば、サーバ装置１は、商品ＩＤ「Ｂ１０００１」の書籍「○○事件  上巻」の購入時には、生成したＤＬ用コードＣｄと、商品情報ＤＢ１３１において購入対象の書籍に対応付けられた電子版商品ＩＤ「Ｅ１０００１」及び利用上限回数「３」とを関連付けて、商品情報ＤＢ１３１の１番目のレコードとして登録する。なお、サーバ装置１は、コード情報ＤＢ１３２の各レコード生成時には、利用済回数を「０」に設定し、対応するＤＬ用コードＣｄが利用される度に利用済回数を１ずつ増やす。
【００３４】
なお、サーバ装置１は、ＤＬ用コードＣｄを、既にコード情報ＤＢ１３２に登録済みのＤＬ用コードＣｄと重複しないように生成する。従って、ＤＬ用コードＣｄは、同一の対象商品ＩＤに関連付けられる場合であっても、コード情報ＤＢ１３２のレコードごとに異なる。例えば、図４（Ｂ）の例では、１番目と３番目のレコードでは、同一の対象商品ＩＤ「Ｅ１０００１」が記録されているが、対応するＤＬ用コードＣｄはそれぞれ異なる。
【００３５】
［処理フロー］
次に、本実施形態においてサーバ装置１が実行する処理フローについて説明する。以後では、ＤＬ用コードＣｄを発行する処理（「コード発行処理」とも呼ぶ。）について図５を参照して説明した後、発行したＤＬ用コードＣｄに基づきデジタルコンテンツＤＣを配信する処理（「コンテンツ配信処理」とも呼ぶ。）について図６を参照して説明する。
【００３６】
（１）コード発行処理
図５は、商品画面を表示する際にサーバ装置１及び第１ユーザ端末３Ａが実行する処理手順を示すフローチャートの一例である。サーバ装置１は、図５に示すフローチャートの処理を繰り返し実行する。
【００３７】
まず、サーバ装置１は、購入対象の商品ＩＤを指定した商品購入要求が第１ユーザ端末３Ａからあったか否か判定する（ステップＳ１０１）。そして、商品購入要求があった場合（ステップＳ１０１；Ｙｅｓ）、サーバ装置１は、購入対象商品の商品情報を、商品情報ＤＢ１３１から取得する（ステップＳ１０２）。即ち、サーバ装置１は、商品購入要求で指定された商品ＩＤに関連付けられている商品情報を商品情報ＤＢ１３１から取得する。一方、商品購入要求がない場合（ステップＳ１０１；Ｎｏ）、サーバ装置１は、フローチャートの処理を終了する。
【００３８】
次に、サーバ装置１は、ステップＳ１０２で取得した商品情報に電子版商品ＩＤが含まれているか否か判定する（ステップＳ１０３）。即ち、サーバ装置１は、取得した商品情報を参照し、商品購入要求で指定された商品ＩＤに、電子版商品ＩＤが関連付けられているか否か判定する。そして、サーバ装置１は、商品情報に電子版商品ＩＤが含まれていると判断した場合（ステップＳ１０３；Ｙｅｓ）、ＤＬ用コードＣｄの生成及びコード情報ＤＢ１３２への登録を行う（ステップＳ１０４）。具体的には、サーバ装置１は、ＤＬ用コードＣｄを生成し、上述の電子版商品ＩＤ及び商品情報に含まれる利用上限回数と関連付けて、コード情報ＤＢ１３２に登録する。そして、サーバ装置１は、第１ユーザ端末３Ａに対し、コード表示画面の表示情報を送信する（ステップＳ１０５）。これにより、サーバ装置１は、第１ユーザ端末３Ａのディスプレイ上に、生成したＤＬ用コードＣｄを表示させる。
【００３９】
一方、サーバ装置１は、取得した商品情報に電子版商品ＩＤが含まれていないと判断した場合（ステップＳ１０３；Ｎｏ）、フローチャートの処理を終了する。
【００４０】
（２）コンテンツ配信処理
図６は、コンテンツ配信処理の手順を示すフローチャートである。サーバ装置１は、図６に示すフローチャートの処理を繰り返し実行する。
【００４１】
まず、サーバ装置１は、ＤＬ用コードＣｄを指定したダウンロード要求が第２ユーザ端末３Ｂからあるか否か判定する（ステップＳ２０１）。この場合、サーバ装置１は、ＤＬ用コードＣｄの入力欄を含むコード入力画面を第２ユーザ端末３Ｂに表示させ、当該入力欄へ入力されたＤＬ用コードＣｄを第２ユーザ端末３Ｂから受信する。そして、サーバ装置１は、ＤＬ用コードＣｄを指定したダウンロード要求があった場合（ステップＳ２０１；Ｙｅｓ）、ステップＳ２０２へ処理を進める。一方、サーバ装置１は、ＤＬ用コードＣｄを指定したダウンロード要求がない場合（ステップＳ２０１；Ｎｏ）、フローチャートの処理を終了する。
【００４２】
次に、サーバ装置１は、ダウンロード要求で指定されたＤＬ用コードＣｄがコード情報ＤＢ１３２に登録されているか否か判定する（ステップＳ２０２）。そして、サーバ装置１は、ＤＬ用コードＣｄがコード情報ＤＢ１３２に登録されている場合（ステップＳ２０２；Ｙｅｓ）、ステップＳ２０３へ処理を進める。一方、サーバ装置１は、ＤＬ用コードＣｄがコード情報ＤＢ１３２に登録されていない場合（ステップＳ２０２；Ｎｏ）、フローチャートの処理を終了する。例えば、この場合、サーバ装置１は、入力されたＤＬ用コードＣｄが登録されていない旨の警告等を、コード入力画面に表示させるとよい。
【００４３】
次に、サーバ装置１は、対象のＤＬ用コードＣｄの利用上限回数及び利用済回数をそれぞれコード情報ＤＢ１３２から取得し、利用上限回数の方が利用済回数よりも多いか否か判定する（ステップＳ２０３）。そして、サーバ装置１は、利用上限回数の方が利用済回数よりも多い場合（ステップＳ２０３；Ｙｅｓ）、コード情報ＤＢ１３２に登録されている利用済回数を「１」だけ増やし（ステップＳ２０４）、ＤＬ用コードＣｄに対応するデジタルコンテンツＤＣをコンテンツＤＢ１３３から取得して第２ユーザ端末３Ｂに配信する（ステップＳ２０５）。
【００４４】
一方、サーバ装置１は、利用上限回数の方が利用済回数よりも大きくない場合（ステップＳ２０３；Ｎｏ）、即ち利用上限回数と利用済回数とが同一の場合、ＤＬ用コードＣｄは利用できないと判断し、デジタルコンテンツＤＣの配信を行うことなくフローチャートの処理を終了する。
【００４５】
なお、サーバ装置１は、第１ユーザ端末３ＡからＤＬ用コードＣｄを指定したダウンロード要求があった場合についても同様に、図６のフローチャートに基づき、第１ユーザ端末３Ａに対してデジタルコンテンツＤＣの配信を行う。
【００４６】
［表示例］
次に、図７〜図１０を参照して、本実施形態に係る表示例について説明する。
【００４７】
図７は、購入すべき商品を選択する画面である商品購入画面の表示例である。図７の例では、第１ユーザ端末３Ａは、「○○」を検索条件とする入力情報をサーバ装置１に送信し、その応答信号として受信した表示情報に基づき、図７に示す商品購入画面を表示している。具体的には、サーバ装置１は、図４（Ａ）に示す商品情報ＤＢ１３１の１番目のレコードに登録されている書籍「○○事件  上巻」の商品説明及び当該商品の購入を指示する商品購入ボタン４６と、図４（Ａ）に図示していない「○○事件  下巻」の商品説明及び当該商品の購入を指示する商品購入ボタン４７とを、商品購入画面上に表示させている。
【００４８】
図８は、書籍「○○事件  上巻」に対応する商品購入ボタン４６が押下され、当該書籍の購入手続きが完了した後に第１ユーザ端末３Ａが表示するコード表示画面の表示例である。
【００４９】
図８の例では、サーバ装置１は、購入手続きが完了した旨と共に、ＤＬ用コードＣｄに関する情報を、コード表示画面上に表示させている。この場合、サーバ装置１は、生成済みのＤＬ用コードＣｄと重複しないＤＬ用コードＣｄを生成し、コード情報ＤＢ１３２に登録する。また、サーバ装置１は、購入対象の書籍「○○事件  上巻」に対応付けて商品情報ＤＢ１３１に登録された電子版商品ＩＤ「Ｅ１０００１」及び利用上限回数「３」を、コード情報ＤＢ１３２における対象商品ＩＤ及び利用上限回数として登録する。そして、図８の例では、サーバ装置１は、ＤＬ用コードＣｄ「Ｃ１９Ａ６ｂ」と共に、利用上限回数が３回である旨を、コード表示画面に表示させている。
【００５０】
図９は、第２ユーザ端末３Ｂが表示するコード入力画面の表示例である。第２ユーザ端末３Ｂは、ユーザ操作に基づき、サーバ装置１が管理する所定のＵＲＬにアクセスすることで、図９に示すコード入力画面を表示している。なお、第１ユーザ端末３Ａのユーザは、書籍「○○事件  上巻」の購入手続きの完了後、第２ユーザ端末３Ｂのユーザに、図８のコード表示画面で表示されたＤＬ用コードＣｄを伝えることで、デジタルコンテンツＤＣを利用する権利を譲渡しているものとする。
【００５１】
図９では、第２ユーザ端末３Ｂは、サーバ装置１から受信する表示情報に基づき、ＤＬ用コードＣｄを入力するためのコード入力欄４８と、コード入力欄４８に入力されたＤＬ用コードＣｄを送信するための送信ボタン４９とをコード入力画面上に表示させている。図９の例では、図８のコード表示画面で表示されたＤＬ用コードＣｄ「Ｃ１９Ａ６ｂ」がコード入力欄４８に入力されている。そして、図９の状態で送信ボタン４９が選択された場合、第２ユーザ端末３Ｂは、コード入力欄４８に入力されたＤＬ用コードＣｄをサーバ装置１へ送信する。
【００５２】
図１０は、図９のコード入力画面で送信ボタン４９が選択され、デジタルコンテンツＤＣのダウンロードが開始された際に表示されるダウンロード画面を示す。
【００５３】
コード入力欄４８に入力されたＤＬ用コードＣｄ「Ｃ１９Ａ６ｂ」を受信したサーバ装置１は、コード情報ＤＢ１３２を参照して同一のＤＬ用コードＣｄが登録されているか否か判定する。そして、この場合、サーバ装置１は、図４（Ｂ）に示すコード情報ＤＢ１３２の１番目のレコードに、受信したＤＬ用コードＣｄが登録されていることを認識する。従って、サーバ装置１は、コード情報ＤＢ１３２の１番目のレコードの利用済回数を「１」だけ増加させた後、対象商品ＩＤが示す電子書籍「○○事件  上巻（電子版）」のデータを、第２ユーザ端末３Ｂへ送信する処理を開始する。そして、サーバ装置１は、図１０のダウンロード画面において、電子書籍「○○事件  上巻（電子版）」をダウンロード中である旨、及び残りの利用可能回数「２回」を表示している。対象のデジタルコンテンツＤＣのダウンロード完了後、第２ユーザ端末３Ｂは、ダウンロードしたデジタルコンテンツＤＣを表示する。これにより、第２ユーザ端末３Ｂのユーザは、第１ユーザ端末３Ａのユーザが購入した書籍に対応するデジタルコンテンツＤＣを好適に閲覧することができる。
【００５４】
［取引システムの作用効果］
実施形態の取引システム１００によれば、サーバ装置１は、購入された紙の書籍に対応するデジタルコンテンツＤＣをダウンロードするためのＤＬ用コードＣｄを発行し、当該ＤＬ用コードＣｄに利用上限回数を設けた上で購入者に通知する。これにより、購入者からＤＬ用コードＣｄを伝えられた者は、設定された利用上限回数の範囲内でＤＬ用コードＣｄを利用し、デジタルコンテンツＤＣをダウンロードする。従って、サーバ装置１は、デジタルコンテンツＤＣの配信により書籍を好適に宣伝すると共に、デジタルコンテンツＤＣの過剰な拡散を防止することができる。
【００５５】
［変形例］
次に、実施形態の変形例について説明する。以下の変形例は、任意に組み合わせて上述の実施形態に適用してもよい。
【００５６】
（変形例１）
ＤＬ用コードＣｄに基づき送信されるデジタルコンテンツＤＣは、対応する紙の書籍と同一内容である必要はなく、デジタルコンテンツＤＣは、対応する紙の書籍の一部（例えば先頭頁から所定頁分）であってもよい。
【００５７】
この場合、例えば、サーバ装置１は、販売用の電子書籍とは別に、当該電子書籍の一部分にあたるデジタルコンテンツＤＣをコンテンツＤＢ１３３に記憶しておく。そして、サーバ装置１は、図６のコンテンツ配信処理のステップＳ２０６では、受信したＤＬ用コードＣｄに対応するデジタルコンテンツＤＣをコンテンツＤＢ１３３から抽出して第２ユーザ端末３Ｂに送信する。
【００５８】
このように、サーバ装置１は、デジタルコンテンツＤＣとして、対応する紙の書籍の冒頭部分のみを表示するためのファイルを第２ユーザ端末３Ｂに送信することで、未購入者が書籍の全編を読めることによる紙の書籍の販売機会の損失を、好適に抑制することができる。また、購入者から教えられたＤＬ用コードＣｄに基づきデジタルコンテンツＤＣをダウンロードした者は、ＤＬ用コードＣｄに基づき紙の書籍の一部にあたるデジタルコンテンツＤＣを閲覧した場合に、その続きが読みたくなることが想定される。従って、この態様では、サーバ装置１は、デジタルコンテンツＤＣを閲覧した者による書籍の購入を好適に促進することができる。
【００５９】
他の例では、ＤＬ用コードＣｄに基づき送信されるデジタルコンテンツＤＣには、対応する紙の書籍では閲覧することができない付加的な情報が含まれていてもよい。例えば、購入対象の書籍が料理に関する本である場合、これに対応するデジタルコンテンツＤＣには書籍に記載されている料理手順に従い料理を実践している様子を撮影した動画が頁中に組み込まれていてもよい。このように、ＤＬ用コードＣｄに基づき送信されるデジタルコンテンツＤＣには、紙の書籍で表現することが技術上又はコスト上困難である動画等の付加的な情報が組み込まれていてもよい。
【００６０】
（変形例２）
サーバ装置１は、商品情報ＤＢ１３１に登録された利用上限回数を、時間経過と共に更新して変化させてもよい。即ち、サーバ装置１は、同一の商品に対して生成されたＤＬ用コードＣｄに対して設定する利用上限回数を、商品の購入時期に応じて異なる回数に設定してもよい。これについて、具体例（第１具体例〜第４具体例）を用いて説明する。
【００６１】
第１具体例では、サーバ装置１は、各書籍について、当該書籍が販売促進期間中である場合には、販売促進期間中でない期間中に比べて、当該書籍の購入に対して付与されるＤＬ用コードＣｄの利用上限回数を高く設定する。この場合、サーバ装置１は、例えば商品情報ＤＢ１３１等に記録された販売部数等が所定部数未満である場合、又は、発行年月日から所定期間（例えば１ヶ月）以内である場合に、各書籍が販売促進期間であると判断してもよい。他の例では、サーバ装置１は、各書籍が販売促進期間中であるか否かを、図示しない入力部への入力に基づき認識してもよい。
【００６２】
このように、サーバ装置１は、書籍の販売促進期間では、当該書籍の購入に対して付与されるＤＬ用コードＣｄの利用上限回数を高く設定して当該書籍のデジタルコンテンツＤＣの流通を積極的に促進する。これにより、書籍の存在をより多くの人に知らせ、販売を促進することができる。なお、この場合、好適には、変形例１に基づき、サーバ装置１は、購入された紙の書籍の一部のみを表したデジタルコンテンツＤＣを配信対象とするとよい。これにより、書籍の販売機会を失うことなく書籍の販売を好適に促進することができる。
【００６３】
なお、第１具体例において、サーバ装置１は、各書籍について、当該書籍の週毎又は月毎の売上部数が所定数以上である場合など、当該書籍の売れ行きが比較的好調である期間では、他の期間と比べて、当該書籍の利用上限回数を低く設定してもよい。例えば、サーバ装置１は、各書籍について、販売促進期間中の場合には利用上限回数を最も高い値（例えば１０回）に設定し、売れ行きが比較的好調である期間では利用上限回数を最も低い値（例えば１回）に設定する。これにより、サーバ装置１は、売れ行きが好調の書籍のデジタルコンテンツＤＣが不要に拡散するのを好適に抑制する。
【００６４】
第２具体例では、サーバ装置１は、商品情報ＤＢ１３１等に登録される各書籍の発行年月日から所定時間が経過するごとに、各書籍の利用上限回数を増やす。例えば上述の所定時間を６カ月に設定した場合、サーバ装置１は、発行年月日から６カ月経過した書籍の購入に対して付与されるＤＬ用コードＣｄの利用上限回数に対して６カ月経過時点で「１」だけ加算し、発行年月日から１年経過した書籍の購入に対して付与されるＤＬ用コードＣｄの利用上限回数に対して１年経過時点で「１」だけ加算する。同様に、サーバ装置１は、各書籍について、６カ月経過するごとに利用上限回数に対して「１」だけ加算する。これにより、サーバ装置１は、時間経過に伴い売れ行きが鈍化する場合に、販売を好適に促進することができる。
【００６５】
第３具体例では、サーバ装置１は、書籍の販売部数が増えるほど、当該書籍の購入に対して付与されるＤＬ用コードＣｄの利用上限回数を減らす。例えば、サーバ装置１は、各書籍の商品情報ＤＢ１３１への登録時には、利用上限回数を「１０回」に設定し、その後、１万冊売れるごとに利用上限回数を「１」ずつ減らす。これにより、サーバ装置１は、販売促進が特に必要な販売開始直後にデジタルコンテンツＤＣを積極的に流通させる。
【００６６】
第４具体例では、サーバ装置１は、商品が発売された場合に、当該商品に関連する商品の購入に対して付与するＤＬ用コードＣｄの利用上限回数を上げる。例えば、サーバ装置１は、書籍が雑誌である場合、商品である最新号が発売されるごとに、商品に関連する商品であるバックナンバーにあたる各書籍の購入に対して付与されるＤＬ用コードＣｄの利用上限回数を所定数（例えば１）だけ増やす。このように、サーバ装置１は、最新号のバックナンバーにあたる各雑誌の電子版を意図的に拡散することで、多くの人に当該雑誌に興味を持たせ、最新号の販売を好適に促進させる。なお、書籍が雑誌である場合に限らず、巻数のみが異なる同一タイトルのシリーズ化された書籍についても、サーバ装置１は、最新巻が発行されるごとに、巻数のみが異なる他の書籍の利用上限回数を増やしてもよい。
【００６７】
なお、サーバ装置１は、第１〜第４具体例に基づき商品情報ＤＢ１３１に登録された利用上限回数を更新した場合であっても、コード情報ＤＢ１３２において発行済みのＤＬ用コードＣｄと関連付けられた利用上限回数については変更しない。従って、ＤＬ用コードＣｄの付与後に、当該ＤＬ用コードＣｄの利用上限回数が購入者の意に反して変更されることはない。
【００６８】
（変形例３）
サーバ装置１は、電子商取引により購入された書籍に対してＤＬ用コードＣｄを発行する場合に限らず、店舗販売された書籍に対してもＤＬ用コードＣｄを発行してもよい。
【００６９】
図１１は、本変形例に係る取引システム１００Ａの概略構成を示す。図１１に示す取引システム１００Ａは、店内の会計場所に置かれるＰＯＳレジスタ端末装置４を有する。
【００７０】
ＰＯＳレジスタ端末装置４は、リーダ９により購入対象の書籍から商品ＩＤ等を読み取り、当該商品ＩＤをサーバ装置１へ送信する。そして、サーバ装置１は、受信した商品ＩＤに基づき図５のコード発行処理のステップＳ１０２〜Ｓ１０４を実行することで、ＤＬ用コードＣｄを発行し、ＤＬ用コードＣｄや利用上限回数などをＰＯＳレジスタ端末装置４へ送信する。そして、ＰＯＳレジスタ端末装置４は、サーバ装置１から受信したＤＬ用コードＣｄ等を、レシート５に印刷する。この場合、購入者又はレシート５の譲受人は、ユーザ端末３にコード入力画面を表示させてレシート５に印刷されたＤＬ用コードＣｄを入力する。ＤＬ用コードＣｄが入力されたユーザ端末３は、入力されたＤＬ用コードＣｄをサーバ装置１へ送信することで、対応するデジタルコンテンツＤＣをサーバ装置１から受信する。
【００７１】
このように、店舗販売された書籍に対して付与されたＤＬコードＣｄを用いる場合であっても、ユーザ端末３は、好適にデジタルコンテンツＤＣをダウンロードして表示することができる。
【００７２】
（変形例４）
サーバ装置１は、利用済回数が利用上限回数に達したＤＬ用コードＣｄを、コード情報ＤＢ１３２から削除してもよい。この場合、サーバ装置１は、図６のコンテンツ配信処理のステップＳ２０４で利用済回数を「１」だけ増やした後、利用済回数が利用上限回数に達したか否か判定し、利用済回数が利用上限回数に達した場合には、対象のＤＬ用コードＣｄに対するレコードをコード情報ＤＢ１３２から削除する。なお、変形例４では、サーバ装置１は、ステップＳ２０３において、利用上限回数が利用済回数より多いか否かを判定する必要がない。
【００７３】
（変形例５）
ＤＬ用コードＣｄが発行される対象となる商品は、書籍に限らず、例えば書籍以外の著作物に関する商品であってもよい。例えば、取引システム１００は、音楽や映画などのデジタルコンテンツが記録された再生用メディアが購入対象の場合に、当該デジタルコンテンツのダウンロード又はストリーミング配信などのサービスを受けるためのＤＬ用コードＣｄを発行してもよい。また、他の例では、取引システム１００は、物の商品が購入対象の場合に、当該物の利用方法などを説明した動画等をダウンロードするためのＤＬ用コードＣｄを発行してもよい。
【００７４】
（変形例６）
サーバ装置１は、複数のサーバから構成されていてもよい。例えば、サーバ装置１は、商品情報ＤＢ１３１を有するサーバと、コード情報ＤＢ１３２を有するサーバと、コンテンツＤＢ１３３を有するサーバと、図５のコード発行処理を実行するサーバと、図６のコンテンツ配信処理を実行するサーバとから構成されていてもよい。この場合、図５のコード発行処理を実行するサーバと図６のコンテンツ配信処理とを実行するサーバは、本発明における「コンテンツ配信装置」として機能し、通信網２を介し、割り当てられた処理に必要な情報の授受を他のサーバと行う。
【符号の説明】
【００７５】
１…サーバ装置
２…通信網
３Ａ…第１ユーザ端末
３Ｂ…第２ユーザ端末
４…ＰＯＳレジスタ端末装置
５…レシート
【図２】
2016024468.tif 000003
【図３】
2016024468.tif 000004
【図４】
2016024468.tif 000005
【図５】
2016024468.tif 000006
【図６】
2016024468.tif 000007
【図７】
2016024468.tif 000008
【図８】
2016024468.tif 000009
【図９】
2016024468.tif 000010
【図１０】
2016024468.tif 000011
【図１】
2016024468.tif 000012
【図１１】
2016024468.tif 000013